(57)【特許請求の範囲】
【請求項１】
通信回線の捕捉時刻をその通信回線に関連づけて履歴データとして記憶する記憶ステップと、通信回線の切り替え時に捕捉中の通信回線と同一の通信回線に関連づけられた捕捉時刻を検索する回線情報検索ステップと、回線情報検索ステップにより得られた捕捉時刻に最も近い捕捉時刻を検索する捕捉時刻検索ステップと、捕捉時刻検索ステップにより得られた捕捉時刻が関連づけられた通信回線を選択する選択ステップと、選択ステップにより選択された通信回線の回線状態を検出する検出ステップと、検出ステップによる検出結果に基づき通信回線を捕捉する捕捉ステップとを備えたことを特徴とする通信回線選択方法。
【請求項２】
前記捕捉時刻検索ステップは、検出ステップによる検出結果に基づき、回線情報検索ステップにより得られた捕捉時刻に次に近い捕捉時刻をさらに検索することを特徴とする請求項１に記載の通信回線選択方法。
【請求項３】
前記回線情報検索ステップにより２以上の捕捉時刻が得られた場合に、前記捕捉時刻検索ステップは、捕捉中の通信回線の前回 捕捉時の捕捉時刻に基づき検索を行うことを特徴とする請求項１に記載の通信回線選択方法。
【請求項４】
前記回線情報検索ステップにより２以上の捕捉時刻が得られた場合に、前記捕捉時刻検索ステップは、回線情報検索ステップにより得られた捕捉時刻ごとに最も近い捕捉時刻を検索し、前記選択ステップは、捕捉時刻検索ステップにより得られた捕捉時刻のうち、回線情報検索ステップにより得られた対応する捕捉時刻に最も近いものが関連づけられた通信回線を選択することを特徴とする請求項１に記載の通信回線選択方法。
【請求項５】
前記記憶ステップは、通信回線を提供する通信システムごとに捕捉時刻を記憶し、前記検索ステップは、通信システムの切替時に、切替前及び切替後の通信システムに関して記憶された捕捉時刻についてデータ検索を行うことを特徴とする請求項１に記載の通信回線選択方法。
【請求項６】
前記検索ステップは、記憶ステップにより記憶きれた切替前の通信システムに関する捕捉時刻から、捕捉中の通信回線と同一通信回線に関連づけられたものを検索する回線情報検索ステップと、記憶ステップにより記憶きれた切替後の通信システムに関する捕捉時刻から、回線情報検索ステップにより得られた捕捉時刻に最も近いものを検索する捕捉時刻検索ステップと備え、前記選択ステップは、捕捉時刻検索ステップにより得られた捕捉時刻が関連づけられた通信回線を選択することを特徴とする請求項５に記載の通信回線選択方法。
【請求項７】
前記記憶ステップは、衛星通信システムの通信回線、地上通信システムの通信回線ごとに捕捉時刻を記憶することを特徴とする請求項５に記載の通信回線選択方法。
【請求項８】
通信回線の捕捉時間をその通信回線に関連づけて履歴データとして記憶する履歴情報記憶部と、通信回線の切り替え時に、捕捉中の通信回線と同一の通信回線に関連付けられた捕捉時刻を検索する回線情報検索部と、回線情報検索部により得られた捕捉時刻に最も近い捕捉時刻を検索する捕捉時刻検索部と、捕捉時刻検索部により得られた捕捉時刻が関連づけられた通信回線を選択する回線選択部と、回線選択部により選択された通信回線の回線状況を検出する回線監視部とを備え、回線監視部の検出結果に基づき通信回線を補足することを特徴とする移動体通信装置。
【請求項９】
前記捕捉時刻検索部は、前記回線監視部の検出結果に基づき、前記回線情報検索部により得られた捕捉時刻に次に近い捕捉時刻をさらに検索することを特徴とする請求項８に記載の通信回線選択方法。
【請求項１０】
前記回線検索部により2以上の捕捉時刻が得られた場合に、前記捕捉時刻検索部は、捕捉中の通信回線の前回捕捉時の捕捉時刻に基づき検索を行うことを特徴とする請求項８に記載の移動体通信装置。
【請求項１１】
前記回線情報検索部により２以上の捕捉時刻が得られた場合に、前記捕捉時刻検索部は、回線情報検索部により得られた捕捉時刻ごとに最も近い捕捉時刻を検索し、前記回線選択部は、捕捉時刻検索部により得ちれた捕捉時刻のうち、回線情報検索部により得られた対応する捕捉時刻に最も近いものが関連づけられた通信回線を選択することを特徴とする請求項８に記載の移動体通信装置。
【請求項１２】
前記履歴情報記憶部は、通信回線を提供する通信システムごとに捕捉時刻を記憶する２以上の記憶部からなり、前記履歴情報検索部は、通信システムの切替時に、切替前及び切替後の通信システムに関する記憶部においてデータ検索を行うことを特徴とする請求項８に記載の移動体通信装置。
【請求項１３】
前記履歴情報検索部は、切替前の通信システムに関する前記記憶部において、捕捉中の通信回線と同一の通信回線に関連づけられた捕捉時刻を検索する回線情報検索部と、切替後の通信システムに関する前記記憶部において、回線情報検索部により得られた捕捉時刻に最も近い捕捉時刻を検索する捕捉時刻検索部とを備え、前記回線選択部は、捕捉時刻検索部により得られた捕捉時刻が関連づけられた通信回線を選択することを特徴とする請求項１２に記載の移動体通信装置。
【請求項１４】
前記履歴情報記憶部は、衛星通信システムの通信回線の捕捉時時刻を記憶する記憶部と、地上通信システムの通信回線の捕捉時刻を記憶する記憶部からなることを特徴とする請求項１２に記載の移動体通信装置。
【発明の詳細な説明】
【技術分野】
【０００１】
本発明は、通信回線選択方法及び移動体通信装置に係り、さらに詳しくは、システム側の提供する複数の無線通信回線からいずれかの無線通信回線を選択する通信回線選択方法の改良、並びに、システム側の提供する複数の無線通信回線からいずれかの無線通信回線を選択する移動体通信装置の改良に関する。
【背景技術】
【０００２】
携帯電話などの移動体通信装置は、一般に通信システムの提供する複数の無線通信回線を利用可能であるため、通信回線を選択する回線選択部を備え、この回線選択部が選択した通信回線により通信を行っている。しかしながら、全ての通信回線が常に使用可能とは限らない。すなわち、システム側（例えば地上局）の提供する多数の無線通信回線が利用可能であっても、特定の環境下において移動体通信装置が受信できる無線信号は限られている。このため、回線選択部が通信回線を決定する際には、選択可能な通信回線を順次に選択していき、使用可能な通信回線、すなわち、システム側からの無線信号を受信できる回線を見つけだす回線サーチが必要となる。
【０００３】
ＴＤＭＡ（Time Division Multiple Access）方式の携帯電話機の場合であれば、通信回線は周波数及びタイムスロットにより規定され、ＣＤＭＡ（Code Division Multiple Access）方式の携帯電話機の場合であれば、通信回線は周波数及び拡散符号により規定される。通信回線を規定するこれらの情報は回線情報と呼ばれる。例えば、ＴＤＭＡ方式の一つであるＧＳＭ（Global System for Mobile communications）方式を採用したシステムであれば、選択可能な周波数及びタイムスロットの組合せにより数百種類の通信回線を選択することができる。このため、回線切替が必要になった場合には、選択可能な通信回線を規定した回線リストから通信回線を順次に選択し、その回線状態をチェックしていく（回線サーチ）。
【０００４】
そして、回線状態の良好な通信回線を発見すれば、その通信回線を捕捉する。その後、この通信回線の回線状態が悪化すれば同様の回線サーチを再び行う。この様な回線サーチでは、回線リストから順次に通信回線を選択するので、１回の回線チェックにより回線状態の良好な通信回線を発見できる場合もあるが、数百回の回線チェックを行った後に、はじめて回線状態の良好な通信回線を発見できる場合もある。回線状態のチェック動作に要する時間は通信方式により異なるが、このチェック動作に長い時間を要する場合がある。回線サーチに要する時間が長くなると、システムからの無線信号を受信可能なサービスエリア内であっても、ユーザが直ちに無線通信装置を使用できない状態が生ずるという問題があった。
【０００５】
一方、回線リスト内の通信回線をグループ化し、特定のグループについて優先的に回線状態のチェックを行う携帯電話機があった。この携帯電話機の回線リストは、ユーザが直接契約したサービス会社の提供する通信回線（ホーム回線）と、他のサービス会社の提供する通信回線であってローミング契約等によって同一の携帯電話機により利用可能な通信回線（ローミング回線）からなり、ホーム回線とローミング回線とをグループ化して記憶している。そして、回線サーチ時にホーム回線のグループから優先的に選択を行い、全てのホーム回線の回線状態が良好でない場合にのみ、ローミング回線のグループから選択するというものである。一般に、ホーム回線の方が回線使用料が安いので、この携帯電話機の場合、経済的理由により回線リスト内の通信回線をグループ化している。この様なグループ化により、ホーム回線が捕捉できるエリア内では、回線の切替サーチ時間を短縮することができるが、前記エリア外ではローミング回線しか捕捉できず、回線サーチに長時間を要することになる。
【０００６】
また、システム（例えば地上局）が移動体通信装置に対し、周辺セルの通信回線の情報を含む無線信号を送信するシステムがあった。例えば、ＧＳＭ方式のシステムでは、移動体通信装置がモニターしている地上局からの無線信号（この無線信号に対応するセルをサービングセルと呼ぶ）のチャネル情報に、サービングセルに隣接するセル（ネイバリングセル）の周波数の情報が含まれている。この様なネイバリングセルの周波数情報を予め取得しておけば、移動体通信装置がサービングエリアから出た場合に、これらの通信回線についてのみ回線サーチを行うことにより、回線リストに基づく順次の回線サーチに比べ、短時間の回綽サーチより次の通信回線を捕捉することができる。
【０００７】
しかしながら、１回の回線チェックに数秒程度が必要な通信システムもあるため、この様なシステムではネイバリングセルのみについて回線サーチしたとしても回線切替に最大で数秒から数十秒を要するという問題があった。特に、多数のネイバリングセルが存在している場合に回線切替に長い時間を要するという問題があった。例えば、移動衛星を介した衛星通信システムの場合、通信衛星の相対的な位置関係が変化して、これらの通信衛星により形成きれるセルに粗密が生ずる。例えば、衛星軌道の交差点の直下付近では、両軌道を移動している２つの通信衛星がそれぞれ独自にセルを形成する。このため、多数のセルが重複して形成され、ネイバリングセルが多数存在するという状況が生じて、回線切替に長い時間を要するという問題があった。
【０００８】
本発明は、このような事情に鑑みてなされたものであり、通信回線の捕捉時刻を予め保持しておくことにより、回線切替時にユーザの希望する通信回線を短時間で選択できる通信端末装置を提供することを目的とする。
【発明の開示】
【０００９】
本発明による通信回線選択方法は、通信回線の捕捉時刻をその通信回線に関連づけて履歴データとして記憶する記憶ステップと、通信回線の切り替え時に捕捉中の通信回線と同一の通信回線に関連づけられた捕捉時刻を検索する回線情報検索ステップと、回線情報検索ステップにより得られた捕捉時刻に最も近い捕捉時刻を検索する捕捉時刻検索ステップと、捕捉時刻検索ステップにより得られた捕捉時刻が関連づけられた通信回線を選択する選択ステップと、選択ステップにより選択された通信回線の回線状態を検出する検出ステップと、検出ステップによる検出結果に基づき通信回線を捕捉する捕捉ステップとを備えて構成される。このため、回線切替時に、過去の回線捕捉の履歴情報に基づき捕捉できる可能性の高い通信回線を優先して選択することができる。
【００１０】
また、本発明による通信回線選択方法は、前記記憶ステップが、通信回線を提供する通信システムごとに捕捉時刻を記憶し、前記検索ステップは、通信システムの切替時に、切替前及び切替後の通信システムに関して記憶された捕捉時刻についてデータ検索を行う。このため、通信システムの切替時に、両通信システムにおける過去の回線捕捉の履歴情報に基づき捕捉できる可能性の高い通信回線を優先して選択することができる。
【００１１】
一方、本発明による移動体通信装置は、通信回線の捕捉時間をその通信回線に関連づけて履歴データとして記憶する履歴情報記憶部と、通信回線の切り替え時に、捕捉中の通信回線と同一の通信回線に関連付けられた捕捉時刻を検索する回線情報検索部と、回線情報検索部により得られた捕捉時刻に最も近い捕捉時刻を検索する捕捉時刻検索部と、捕捉時刻検索部により得られた捕捉時刻が関連づけられた通信回線を選択する回線選択部と、回線選択部により選択された通信回線の回線状況を検出する回線監視部とを備え、回線監視部の検出結果に基づき通信回線を捕捉する。このため、回線切替時に、過去の回線捕捉の履歴情報に基づき捕捉できる可能性の高い通信回線を優先して選択することができる。
【００１２】
また、本発明による移動体通信装置は、前記履歴情報記憶部が、通信回線を提供する通信システムごとに捕捉時刻を記憶する２以上の記憶部からなり、前記履歴情報検索部は、通信システムの切替時に、切替前及び切替後の通信システムに関する記憶部においてデータ検索を行う。このため、通信システムの切替時に、両通信システムにおける過去の回線捕捉の履歴情報に基づき捕捉できる可能性の高い通信回線を優先して選択することができる。
【発明を実施するための最良の形態】
【００１３】
実施の形態１．
図１は、本発明による移動体通信装置ＭＳの一構成例を示したブロック図である。図中の１はシステム側通信装置（例えば地上局、不図示）からの無線信号を受信するアンテナ部、２は時刻を出力するタイマー部、３は通信回線の回線状態を監視する回線監視部、４は通信回線の捕捉時刻を記憶する履歴情報記憶部、５は履歴情報記憶部４へ通信回線の捕捉時刻を書き込む履歴情報書込部、６は履歴情報記憶部４内のデータ検索を行う履歴情報検索部、７は選択可能な通信回線を予め規定した回線リスト、８は通信回線を選択する回線選択部である。回線リスト７は、移動体通信装置ＭＳが選択可能な通信回線の回線情報を記憶する記憶手段であり、ＲＯＭ、ＥＰＲＯＭ、フラッシュメモリ等の不揮発性記憶手段により実現することができる。また、ハードディスク、光ディスク、ＲＯＭ、ＥＰＲＯＭ、フラッシュメモリ等の不揮発性記憶手段から必要に応じて回線情報をコピーしたＤＲＡＭ、ＳＲＡＭ等の揮発性記憶手段として実現することもできる。
【００１４】
図２は、回線リスト７を構成するデータの一例を示した図である。ここでは、移動体通信装置ＭＳの一例としてＴＤＭＡ方式の携帯電話機に適用した場合について説明する。回線リスト７は、無線信号の搬送波の周波数Ｆ１、Ｆ２、Ｆ３…と、同期タイミングを示すタイムスロットＴ１、Ｔ２、Ｔ３…の組合せにより選択可能な数百種類の通信回線が規定されている。例えば、アドレス1には通信回線「Ｆ１−Ｔ１」（周波数がＦ１かつタイムスロットがＴ１を表す。以下同様）、アドレス１０には通信回線「Ｆ３一Ｔ５」が規定されている。
【００１５】
回線選択部８は、待ち受け時の回線切替において通信回線を選択する手段であり、回線サーチの順序を決定する。回線サーチ時に履歴情報を用いない場合、回線選択部８は回線リスト７から通信回線を選択する。すなわち、回線リスト７に対しアドレス信号を生成して通信回線を選択し、その回線情報（周波数及びタイムスロット） を読み出す。読み出された回線情報は回線監視部３へ送られる。一方、履歴情報を用いる場合には、履歴情報検索部6に対し検索要求を出力し、履歴情報検索部6の出力する回線情報を回線監視部３へ送る。
【００１６】
回線監視部３は、回線選択部８の選択した通信回線について回線状態を検出し、その検出結果を回線選択部８へ返す。この検出結果 は良否を示す２値データ又は多値データであり、検出された回線状 態が所定の品質レベルに満たない場合には、回線選択部８が、更に他の通信回線を選択する。一方、回線状態が所定の品質レベルを満たす場合には、回碍選択部８はその通信回線を捕捉する。これにより、移動体通信装置ＭＳは捕捉された通信回線を提供するシステム側通信装置に対し位置登録を行う。また、回線監視部３は、引き続きシステム側通信装置からの無線信号をモニターし、捕捉した通信回線の回線状態の監視を行う。
【００１７】
タイマー部２は時間程過を計測して時刻を出力する時計回路により構成される。ただし、タイマー部２の出力する時刻は、当該装置ＭＳ内部でのみ用いられる時刻であっても良い。例えば、リセット時又は電源投入時等を基準とする時刻であっても良い。本実施の形態では、時刻として時分及び日付（月及び日）を用いるが、必要に応じて年とともに、或いは、時分のみを用いてもよい。
【００１８】
履歴情報書込部５は、タイマー部２及び回線選択部８の出力信号に基づき、待ち受け時に通信回線を捕捉した時刻を履歴情報記憶部４に書き込む。すなわち、回線サーチ時に回線監視部３の出力に基づき回線状態の良好な通信回線が発見されると、回線選択部８が回線情報とともに書込要求を出す。履歴情報書込部５は、この書込要求に基づき、タイマー部２の出力する時刻を回線選択部８の出力する回線情報に関連づけて履歴情報記憶部４へ書き込む。
【００１９】
履歴情報記憶部４は、通信回線を捕捉した時刻をその通信回線に関華づけた履歴データとして記憶する記憶手段であり、書込可能な記憶手段、すなわち、ＤＲＡＭ、ＳＲＡＭ等の揮発性記憶手段や、フラッシュメモリ、EPROM等の不揮発性記憶手段により実現することができる。図３は、識別情報記憶部４を構成するデータの一例を示した図である。例えば、捕捉時刻「9月3日10：00」が回線情報「Ｆ１一Ｔ１」に関連づけて同一アドレス（アドレス１）に記憶されている。
【００２０】
履歴情報検索部６は、回線選択部８からの検索要求に基づき、履歴情報記憶部４内に記憶された履歴データの検索を行う検索手段であり、回線情報検索部６０と捕捉時刻検索部６１からなる。回線サーチを開始する際、回線選択部８は、捕捉中の通信回線の回線情報を検索要求とともに出力する。回線情報検索部６０は、この検索要求に基づき、前記回線情報をキーとして履歴情報記憶部４内の履歴データを検索し、同一の通信回線に関連づけられた捕捉時刻を読み出す。捕捉時刻検索部６１は、回線情報検索部６０の読み出した捕捉時刻に最も近い捕捉時刻が関連づけられた通信回線を読み出して回線選択部８へ返す。
【００２１】
ここで、回線情報検索部６０によるデータ検索は、前回、同一通信回線を捕捉した時刻を発見する目的で行われる。この時刻を「前回捕捉時刻」と呼ぶ。回線情報検索部６０によるデータ検索は、現在捕捉中の通信回線の回線情報をキーとして行っているため、現在の通信回線を捕捉した時に書き込まれた時刻が、常に最新の時刻として検出される。このため、前回捕捉時刻を見つけ出すため、同一通信回線に関連づけられた２番目に新しい捕捉時刻を検索すればよい。なお、回線情報書込部５が、回線切替時の回線情報および捕捉時刻を一旦記憶し、これらの履歴情報を次に回線切替が行われた際に履歴情報書込部４へ遅れて書き込む構成とした場合には、回線情報検索部６０により検索された最新の時刻が前回捕捉時刻になる。
【００２２】
捕捉時刻検索部６１により得られた前回捕捉時刻に最も近い通信回線について回線監視部３が回線状態を検出した結果、回線状態が良好でない場合には、回線選択部８の指示に基づき前回捕捉時刻に次に近い捕捉時刻を検索する。この様にして、前回捕捉時刻に近い捕捉時刻から順に検索していき、それぞれが関連づけられた通信回線を順に出力していく。
【００２３】
図４は、履歴情報記憶部４内に記憶きれた履歴情報の他の例を示した図であり、履歴情報検索部６の動作の一例を具体的に説明するための図である。履歴情報記憶部４内には図４に示した１１の履歴情報（アドレス１〜１１）があり、現在、通信回線Ａ「Ｆ１一Ｔ１」を捕捉中であるものとする。すなわち、９月３日10：00に捕捉した通信回線Ａ「F１−T1」（アドレス11）を引き続き捕捉しているとする。この通信回線Ａと同一の通信回碍の履歴情報が、アドレス２及び８にも記憶きれており、アドレス８の捕捉時刻の方がより新しい。このため、回線切替時の捕捉時刻検索部60の検索により得られる前回捕捉時刻は「９月２日11：20」（アドレス８）になる。そして、捕捉時刻検索部６１の検索により得られる最も近い捕捉時刻は「9月2日11：05」（アドレス７）であり、次に近い捕捉時刻が「９月２日12：10」（アドレス９）である。従って、回線選択部８に対し、通信回線Ｄ「Ｆ３一Ｔ５」、通信回線Ｃ「Ｆ２一Ｔ４」の順で回線情報が出力される。
【００２４】
図５のS100〜S110は、図１に示した移動体通信装置の動作の一例を示したフローチャートであり、回線切替時の動作を示した図である。このプロセスは、回線切替のイベント発生により実行される。回線切替イベントは、回線監視部３が捕捉中の通信回線の回線状態が悪化したことを検出した場合や、ユーザが入力キー等の入力手段を操作して回線切替を指示した場合等に発行される。まず、回線選択部８が捕捉中の通信回線の回線情報とともに検索要求を出し、回線情報検索部６０がこの回線情報に関連づけられた履歴情報を履歴情報記憶部４内で検索する（S100）。
【００２５】
この検索により、現在捕捉中の通信回線の捕捉履歴が常に発見される。これ以外の履歴情報が発見できない場合（S101）、前回捕捉時刻が 履歴情報記憶部４内に存在しないことを意味する。このため、回線情報検索部６１は回線選択部８に対し「該当データなし」の情報を返す。この時、回線選択部８は通常の回線サーチを開始する（S107〜S1O9）。すなわち、回線選択部８が回線リスト７から通信回線を順次に選択し、回線監視部３がその回線状態をチェックしていく動作を、回線状態の良好な通信回線が発見きれるまで繰り返して通信回線を捕捉する。
【００２６】
一方、データ検索（S100）において2以上の履歴情報が発見された場合、回線情報検索部６０は、２番目に新しい滞捉時刻を前回捕捉時刻として出力する（S101）。捕捉時刻検索部６１は、この前回捕捉時刻に時間的に最も近い履歴情報を履歴情報記憶部４内で検索する（S102）。この検索結果から、同一の通信回線を前回捕捉した前後に捕捉されていた他の通信回線の回線情報を得ることができる。捕捉時刻検索部６１は、この検索により発見きれた最も近い捕捉時間と前回捕捉時刻との差を予め定められた所定値と比較する（S1O3）。
【００２７】
この結果、所定値を超えている場合には、前回捕捉時刻の前後に捕捉きれた通信回線はないと判断し、回線選択部８に対し「該当データなし」の情報を返し、回線選択部８は通常の回線サーチを開始する（S107〜S1O9）。一方、その差が所定値以下であれば、捕捉時刻検索部６１は、その捕捉時刻が関連づけられた回線情報を出力する。捕捉時刻検索部６１が出力する回線情報に基づいて、回線選択部８は通信回線を選択する（S1O4）。すなわち、その回線情報を回線監視部３へ送り、その回線チェックを指示する。回線監視部３は、この通信回線の回線状態を検出し、その検出結果を回線選択部８に返す（S1O5）。回線状態が良好でない場合（S1O6）には、回線選択部８の指示に基づき、捕捉時刻検索部６１が前回捕捉時刻に次に近い捕捉時刻を検索する。
【００２８】
そして、その検索結果について、所定値との比較、通信回線の選択、回線状態のチェック等を繰り返す（S1O2〜S106）。一方、回線状態が良好であれば、回線選択部８はその通信回線を捕捉する（S1O6）。ステップSlO6又はSlO9において通信回線を捕捉した場合、回線選択部８は回線情報と書込要求を出力する。履歴情報書込部５は、この書込要求に基づき、タイマー部9の出力する時刻を回線選択部８の出力する回線情報に関連づけて履歴情報記憶部４に書き込んでこのプロセスを終了する（S11O）。
【００２９】
図６は、本発明による移動体通信装置を含むシステム構成例を示した概略図である。このシステムは地上通信システムであり、図中のＭＳエリア、セルＡ２は通信回線「Ｆ２一Ｔ２」が捕捉可能なエリア、セルＡ３は通信回線「Ｆ３一Ｔ３」が捕捉可能なエリアである。移動体通信装置ＭＳを携行したユーザが経路Pαを通って移動し、セルＡ１、Ａ２、Ａ３を順に通過したとする。この時、地点α1において通信回線「Ｆ１一Ｔ１」の捕捉時刻Ｔ１が記憶され、地点α2において通信回線「Ｆ２一Ｔ２」の捕捉時刻Ｔ２が記憶され、地点α3において通信回線「Ｆ３一Ｔ３」の捕捉時刻Ｔ３が記憶される。
【００３０】
同じユーザが、その後に程路Pαを再び通過した場合、地点α2において、捕捉中の通信回線「Ｆ１一Ｔ１」の前回捕捉時刻Ｔ１に 最も近い時刻Ｔ２に関連づけられた通信回線「Ｆ２一Ｔ２」が検索され、この通信回線について優先的に回線選択及び回線チェックが行われる。同様にして地点α3では通信回線「Ｆ３一Ｔ３」が優先的にチェックされる。従って、短時間で回線サーチを終了することができる。また、同じユーザが、近隣の経路Pβを逆向きに移動した場合であっても同様である。すなわち、地点β2において、捕捉中の通信回線「Ｆ３一Ｔ３」の前回捕捉時刻Ｔ３に最も近い時刻Ｔ２に関連づけられた通信回線「Ｆ２一Ｔ２」が検索され、優先的に回線チェックが行われ、短時間で回線サーチを終了することができる。
【００３１】
一般的に、通信システムのサービスエリアに比べて、日常的な人間の行動範囲はそれほど広くなく、また、長時間滞在する場所は、例えば自宅や職場の様にごく限られた場所である場合が多い。さらに、日常的な人間の行動経路はパターン化されている場合が多い。このため、同一人は同一の経路又はその近隣を再び通る可能性が極めて高い。例えば、携帯電話機を持って家を出たユーザは、往路と同じ経路を経て家に帰る場合が多い。過去に回線切替が行われた場合、切替前後の通信回線をカバーしているセルは、ともにユーザの行動経路上で隣接して存在すると考えられる。そして、ユーザの行動範囲が狭く、或いは、行動経路がパターン化されていれば、ユーザはこれらのセル境界を再び通過する。
【００３２】
本実施の形態による移動体通信装置は、通信回線の捕捉履歴を記憶しておき、回線切替時には、過去の回線切替の履歴に基づいて、同一通信回線の前回捕捉時刻の前後で捕捉きれていた通信回線を優先的に選択する。従って、回線サーチの時間を大幅に短縮することができる。なお、本実施の形態では、図５を用いて移動体通信装置ＭＳが移動した場合について説明したが、例えば、移動体通信装置ＭＳが静止している場合であっても、或いは、十分に低速で移動している場合であっても、移動体通信装置ＭＳが隣接セルの境界付近（セルの重複部分）にあれば、諸条件により回線状態の良好なセルが短時間で交互に入れ替わるような場合が考えられる。
【００３３】
例えば、ユーザがビルの谷間、室内を歩いている場合や入退室を繰り返している様な場合である。本発明によれば、特にこの様な場合に不要な通信回線について回線チェックを行う必要がほとんどなくなり、より顕著な効果が得られる。また、本実施の形態では、移動体通信装置ＭＳが地上局ＢＳ１〜ＢＳ３からの無線信号を直接的に受信する地上通信システムの場合について説明したが、地上局ＢＳ１〜ＢＳ３からの無線信号を通信衛星（不図示）を介して受信する衛星通信システムにも適用することができる。
【００３４】
特に、通信衛星が移動衛星の場合に、本発明により顕著な効果を得ることができる。すなわち、一定の軌道上を通信衛星が移動することにより、その通信衛星を介して提供されるセルも移動するが、通信衛星の軌道周期が経過すれば、同一地点には再び同一のセルが形成される。このため、移動体通信装置がほぼ静止していれば、衛星周期ごとに同じ回線切替が繰り返されることになる。従って、衛星周期の整数倍だけ前の履歴情報に基づいて通信回線を選択し回線サーチを行うことができれば、不要な通信回線について回線チェックを行う必要がほとんどなくなり、より顕著な効果が得られる。
【００３５】
実施の形態２．
本実施の形態では、本発明による移動体通信装置の他の構成例について図１を用いて説明する。実施の形態１では、回線状態検索部６０が前回捕捉時刻を検索したが、本実施の形態では、回線状態検索部６０が捕捉中の通信回線と同一の通信回線に関連づけられた過去の捕捉時刻全てを検索する。この検索によって得られた捕捉時刻を第１の捕捉時刻と呼ぶ。次に、捕捉履歴検索部６１が、この検索により得られた過去の捕捉時刻のそれぞれについて、最も近い捕捉時刻を検索する。この検索によって得られた捕捉時刻を第２の捕捉時刻と呼ぶ。
【００３６】
そして、各組合せごとに第１の捕捉時刻と第２の捕捉時刻の時間差を求め、時間差の最も小さかった第１の捕捉時刻を基準となる捕捉時刻として採用する。これを基準捕捉時刻と呼ぶ。基準捕捉時刻を求めた後、捕捉履歴検索部６１は、履歴情報記憶部７内に記憶された基準捕捉時刻に近い捕捉時刻を順に検索し、その捕捉時刻に関連づけられた回線情報を順に読み出して回線監視部８へ出力する。すなわち、その後の動作は、実施の形態１捉時刻をこの基準捕捉時刻に置き換えて同様に実行きれる。
【００３７】
図７のS200〜S213は、本発明による移動体通信装置の動作の他の例を示したフローチャートであり、回線切替時の動作を示 した図である。この図は、図５に示した実施の形態１におけるフローチャートと比べ、ステップS200〜S205が異なる。このプロセスは、回線切替のイベント発生により実行きれる。回線切替イベントは、回線監視部３が捕捉中の通信回線の回線状態が悪化したことを検出した場合や、ユーザが入力キー等の入力手段を操作して回線切替を指示した場合等に発行される。
【００３８】
まず、回線選択部８が捕捉中の通信回線の回線情報とともに検索要求を出し、回線情報検索部６０がこの回線情報に関連づけられた 全ての履歴情報を履歴情報記憶部４内で検索する（S200）。この検索により前回捕捉時刻が発見できない場合（S201）、回線情報検索部６１は回線選択部８に対し「該当データなし」の情報を返す。この時、回線選択部８は通常の回線サーチを開始する（S210〜S212）。一方、データ検索（S200）において2以上の履歴情報が発見された場合、回線情報検索部６０は、１番新しい捕捉時刻（すなわち、現在捕捉中の通信回線の捕捉履歴）を除く全ての捕捉時刻を第１の捕捉時刻として出力する（S201）。
【００３９】
捕捉時刻検索部６１は、回線情報検索部６０の出力する第１の捕捉時刻のそれぞれについて、その捕捉時刻に時間的に最も近い履歴情報を履歴情報記憶部４内で検索する（S202）。すなわち、第１の捕捉時刻をキーとするデータ検索により第２の捕捉時刻を求める動作を第１の捕捉時刻の数だけ繰り返す。次に、捕捉時刻検索部６１は、第１の捕捉時刻と第２の捕捉時刻の差分を求める（S203）。すなわち、回線情報頓索部60により得られた各第１の捕捉時刻が、最も近い他の捕捉時刻とどれだけ時間的に離れているのかを求める。さらに、捕捉時刻検索部６１は、求められた各差分同志を比較し、差分が一番小さかった第１の捕捉時刻を基準時刻とする（S204）。
【００４０】
そして、この第１の捕捉時刻に最も近い捕捉時刻に関連づけられた回線情報を出力する（S205）。ステップS205における最も近い捕捉時刻とは、ステップS202で得られた第２の捕捉時刻なので、ここでは改めて検索を行う必要はない。この様にして、同一の通信回線を以前に捕捉した前後において、その通信回線へ切り菅えられた、或いは、その通信回線から切り替えられた他の通信回線の回線情報を得ることができる。
【００４１】
最後に、捕捉時刻検索部６１は、ステップS205の最も近い捕捉時間と前回捕捉時刻との差を予め定められた所定値と比較する（S206）。この結果、所定値を超えている場合には、前回捕捉時刻の前後に捕捉きれた通信回線はないと判断し、回線選択部８に対し「該当データなし」の情報を返し、回線選択部８は通常の回線サーチを開始する（S210〜S212）。一方、その差が所定値以下であれば、捕捉時刻検索部６１は、その捕捉時刻が関連づけられた回線情報を出力する。
【００４２】
捕捉時刻検索部６１の出力する回線情報に基づいて、回線選択部８は通信回線を選択する（S207）。すなわち、その回線情報を回線監視部３へ送り、その回線チェックを指示する。回線監視部３は、この通信回線の回線状態を検出し、その検出結果を回線選択部８に返す（S208）。回線状態が良好でない場合（S209）には、回線選択部８の指示に基づき、捕捉時刻検索部６１が基準捕捉時刻に次に近い捕捉時刻を検索する（S205）。そして、その検索結果に基づいて通信回線の選択、回線状態のチェック等を繰り返す（S209）。一方、回線状態が良好であれば、回線選択部８はその通信回線を捕捉する（S209）。
【００４３】
ステップS209又はS212において通信回線を捕捉した場合、回線選択部８は回線情報と書込要求を出力する。履歴情報書込部５は、この書込要求に基づき、タイマー部9の出力する時刻を回線選択部８の出力する回線情報に関連づけて履歴情報記憶部４に書き込んでこのプロセスを終了する（S213）。第１の実施の形態では、まず同一の通信回線に関する前回の捕捉時刻を検索し、次に前回捕捉時刻の前後において行われた回線切替の情報を利用して捕捉可能な通信回線を検索している。これに対し、本実施の形態では、前回捕捉時刻のみならず、これよりも前に同一通信回線が捕捉された時刻をも考慮して、捕捉可能な通信回線を検索している。
【００４４】
すなわち、同一の通信回線に関する過去の捕捉時刻全てについて評価し、その前後で回線切替が行われた可能性が高い捕捉時刻を基準捕捉時刻とし、その後は実施の形態１の場合と同様、この基準捕捉時刻の前後において行われた回線切替の情報を利用して捕捉可能な通信回線を検索している。従って、記憶している過去の履歴情報を有効に利用して回線サーチを行うことができる。
【００４５】
例えば、図６においてユーザが経路Pα又はPβを通り、地点α1〜α3又はβ1〜β3において回線切替が行われたとする。その後、このユーザが移動体通信装置ＭＳの電源を切ってセルＡ２に入り、セルＡ２内で電源を投入して地上局ＢＳ２の通信回線を捕捉し、その後に電源を切ってセルＡ２から出たとする。つまり、地上局ＢＳ２の通信回線を捕捉した時刻Ｔｘの前後で地上局ＢＳ３の通信回線は捕捉されていない。従って、その後にユーザが経路Pαを通過し地点α3で回線切替を行う場合、前回捕捉時刻Ｔ４に基づいて地上局ＢＳ３の捕捉履歴を検索することができない。
【００４６】
ところが、このユーザが過去に経路Pα又はPβを通過したことがあれば、前回捕捉時刻Ｔｘよりも以前の地上局ＢＳ２の捕捉時刻Ｔｙ１が履歴情報記憶部４内に記憶されているはずである。また、この時刻Ｔｙ１に近い地上局ＢＳ３の補足時刻Ｔｙ２が履歴情報記憶部４内に記憶されているはずである。一方、移動体通信装置ＭＳの電源を切ってセルＡ２を出入りした場合には、その前後で回線切替が行われていない。子のため、地上局ＢＳ２の通信回線の捕捉時刻Ｔｘは、他の通信回線を捕捉した捕捉時刻と時間的に離れている
【００４７】
このため、本実施の形態によれば捕捉時刻Ｔｙ１を基準捕捉時刻とし、この基準時刻に基づいて捕捉時刻Ｔｙ２を検索し、地上局ＢＳ３の通信回線を優先的に回線サーチすることができる。以上の説明により理解される通り、本実施の形態では、前々回又はそれ以前に同一通信回線を捕捉した履歴情報に基づいて通信回線を検索して回線サーチを行うことができる。このため、前回捕捉時刻により通信回線が検索できない場合であっても、回線サーチに要する時間を短縮することができる。
【００４８】
実施の形態３．
図８は、本発明による移動体通信装置ＭＳの他の構成例を示したブロック図である。この移動体通信装置は、図１の移動体通信装置が隣接セル情報抽出部９及び隣接セル参照部６２を更に備えて構成される。この移動体通信装置は、システム側通信装置（例えば地上局）からの無線信号のチャネル情報中に、隣接するネイバリングセルの回線情報が含まれている通信システムで用いられる。隣接セル情報抽出部９は、待ち受け時の受信信号のチャネル情報からネイバリングセルの回線情報、すなわち、ＴＤＭＡ方式では周波数及びタイムスロット、ＣＤＭＡ方式では周波数と拡散符号を抽出する。
【００４９】
履歴情報検索部６は、回線情報検索部６０と捕捉時刻検索部６１と隣接セル参照部６２からなる。隣接セル参照部６２は、捕捉時刻検索部６１の出力する通信回線が、隣接セル情報抽出部９の抽出した回線情報に含まれる通信回線であるか否かを判別する。回線情報検索部６０は、回線選択部８からの検索要求に基づき、回線情報をキーとして履歴情報記憶部４内の履歴情報を検索し、同一通信回線の前回捕捉時刻を読み出す。捕捉時刻検索部６１は、前回捕捉時刻をキーとして履歴情報記憶部４内の履歴情報を検索し、この前回捕捉時刻に最も近い捕捉時刻の通信回線を読み出す。
【００５０】
隣接セル参照部６２は、図示しない隣接セル記憶部を備えて構成される。この隣接セル記憶部は、隣接セル情報抽出部９の出力する ネイバリングセルの回線情報を記憶している。この記憶データは、隣接セル情報抽出部９の出力に基づき随時に更新されるが、回線サーチ時にはデータ更新が一時中断される。隣接セル参照部６２は、捕捉時刻検索部６１の出力する回線情報をキーとして隣接セル記憶部内の回線情報を検索する。この結果、回線情報の一致する通信回線が隣接セル記憶部内に存在すれば、その回線情報を回線選択部８へ出力する。回線監視部３がこの通信回線の回線状態をチェックした結果、回線状態が良好でなければ、捕捉時刻検索部６１が回線選択部８の指示に基づき前回捕捉時刻に次に近い捕捉時刻を検索する。
【００５１】
また、捕捉時刻検索部６１の出力する回線情報が隣接セル記憶部内の回線情報と一致しない場合には、隣接セル参照部６２の指示に基づき捕捉時刻検索部６１が前回捕捉時刻に次に近い捕捉時刻を検索する。そして、これらの検索結果を隣接セル参照部６２が隣接セルの回線情報と再び照合する。この様にして、捕捉時刻検索部６１による検索が繰り返し行われた場合、或いは、履歴情報記憶部４内に十分な履歴情報が記憶されていない場合には、捕捉時刻検索部６１が前回捕捉時刻から所定時間以内に捕捉された通信回線を検索できなくなる。この場合、隣接セル参照部６２は、隣接セル記憶部に記憶されたネイバリングセルの回線情報であって、まだ回線チェックを行っていない通信回線の情報を回線選択部８へ順次に出力する。そして、隣接セル情報記憶部内に記憶された全ての回線情報について回線チェックを行った結果、回線状態の良好な通信回線が見つからない場合には、「該当データなし」の情報を回線選択部８へ返す。
【００５２】
図９のS300〜S317は、図８に示した移動体通信装置の動作の一例を示したフローチャートであり、回線切替時の動作を示した図である。このプロセスでは、ネイバリングセルの通信回線について優先的に回線サーチを行い、さらに、ネイバリングセルの通信回線の中でも、現在捕捉中の通信回線の前回捕捉時刻に近い捕捉履歴を有する通信回線について優先的に回線サーチを行う。
【００５３】
まず、回線切替のイベント発生に基づき、回線選択部８が捕捉中の通信回線の回線情報とともに検索要求を出す。これにより、隣接セル情報記憶部はデータ更新を中止する。回線情報検索部６０は、この検索要求に基づき、回線情報をキーとして履歴情報記憶部４内の履歴情報を検索する（S300）。この結果、２以上の履歴情報が発見された場合、回線情報検索部６０は、２番目に新しい捕捉時刻を前回捕捉時刻として出力する（S301）。一方、データ検索（S300）において前回捕捉時刻が発見できない場合、回線情報検索部６０は隣接セル参照部６２に対し「該当データなし」の情報を送る（S301）。この時、隣接セル参照部６２はネイバリングセルを優先した通常の回線サーチを開始する（S309〜S316）。
【００５４】
すなわち、隣接セル参照部６２が隣接セル情報記憶部からネイバリングセルの回線情報を順次に読み出す（S309）。この時、既に回線サーチが完了している通信回線があれば読み出しの対象から除外する。回線選択部８は、隣接セル参照部６２の出力に基づき通信回線を選択し（S310）、回線監視部３が選択された通信回線の回線状態を検出する（S311）。この様な動作を回線状態の良好なネイバリングセルが発見されるまで繰り返す（S3P9〜S312）。全てのネイバリングセルについて回線チェックを行っても回線状態の良好な回線が発見できなかった場合（S313）には、回線リスト７から順次に回線情報を読み出して回線チェックを行う（S314〜S316）。この時、既に回線サーチが完了している通信回線があれば読み出しの対象から除外する。
【００５５】
回線情報検索部６０が前回捕捉時刻を出力すると（S301）、捕捉時刻検索部６１は、この前回捕捉時刻に時間的に最も近い履歴情報を履歴情報記憶部４内で検索する（S302）。次に、捕捉時刻検索部６１は、検索された捕捉時間と前回捕捉時刻との差を予め定められた所定値と比較する（S303）。この結果、その差が所定値を超えている場合には、隣接セル参照部６２に対し「該当データなし」の情報を返し、回線選択部８はネイバリングセルを優先した通常の回線サーチを開始する（S309〜S316）。一方、その差が所定値以下であれば、捕捉時刻検索部６１は、その捕捉時刻が関連づけられた回線情報を出力する。
【００５６】
捕捉時刻検索部６１が回線情報を出力すると（S303）、隣接セル参照部６２は、この回線情報に一致する回線情報を隣接セル情報記憶部内で検索する（S304）。この結果、捕捉時刻検索部６１からの回線情報に一致するネイバリングセルの通信回線が存在する場合には、その回線情報を回線選択部８へ出力する（S305）。一方、存在しない場合には、捕捉時刻検索部６１に対し「該当データなし」の情報を出力する（S305）。「該当データなし」の情報を受けた捕捉時刻検索部６１は、前回捕捉時刻に次に近い捕捉履歴の検索を行う（S302）。
【００５７】
隣接セル参照部６２の出力する回線情報に基づいて、回線選択部８は通信回線を選択する（S306）。すなわち、その回線情報を回線監視部３へ送り、その回線チェックを指示する。回線監視部３は、この通信回線の回線状態を検出し、その検出結果を回線選択部８に返す（S307）。回線状態が良好でない場合（S308）には、回線選択部８の指示に基づき、捕捉時刻検索部６１が前回捕捉時刻に次に近い捕捉時刻を検索する（S302）。一方、回線状態が良好であれば、回線選択部８はその通信回線を捕捉する（S308）。
【００５８】
ステップS308、S313又はS316において通信回線を捕捉した場合、回線選択部８は回線情報と書込要求を出力する。これにより、隣接セル情報記憶部はデータ更新を再開する。履歴情報書込部５は、この書込要求に基づき、タイマー部9の出力する時刻を回線選択部８の出力する回線情報に関連づけて履歴情報記憶部４に書き込んでこのプロセスを終了する（S317）。移動体通信装置ＭＳが回線切替を行った場合、新たに捕捉される通信回線は現在捕捉中の通信回線に隣接する通信回線、すなわち、ネイバリングセルの通信回線である可能性が高い。このため、ＧＳＭ方式等を採用している通信システムではネイバリングセルの回線情報を移動体通信装置に提供している。
【００５９】
本実施の形態では、回線捕捉の履歴情報を記憶しておき、この履歴情報に基づいて捕捉できる可能性の高い通信回線を順に検索する。そして、検索された回線情報のうち、ネイバリングセルの回線情報に一致するものについて優先的に回線チェックを行っている。すなわち、ネイバリングセルの通信回線の中でも、履歴情報に基づき捕 捉できる可能性の高いものから順に回線チェックを行っている。従って、ネイバリングセルの通信回線について順に回線チェックを行う移動体通信装置に比べ、より短時間で回線切替を完了することができる。
【００６０】
なお、本実施の形態では、この履歴情報に基づき捕捉できる可能性の高い通信回線を検索する際に、実施の形態１と同様の方法を採用しているが、実施の形態２と同様の方法を採用することもできる。すなわち、本実施の形態では、図９のステップS300〜S302において、図５のステップS100〜S1O2（実施の形態１）と同様の動作を行っているが、図７のステップS200〜S205（実施の形態２）と同様の動作を行わせることもできる。
【００６１】
実施の形態４．
図１０は、本発明による移動体通信装置ＭＳの一橋成例を示したブロック図である。この移動体通信装置は、異なる2つの通信システムＡ及びＢに対応する通信装置であり、通信システムＡに対応するブロックＡと、通信システムＢに対応するブロックＢを備えて構成される。例えば、通信システムＡが地上通信システム、通信システムＢが衛星通信システムであり適宜に地上通信及び衛星通信を切り替えて使用するデュアルモードの携帯電話機の様な場合や、システムＡ、Ｂが周波数や通信方式の異なる地上通信システムの場合にも適用することができる。ブロックＡ、Ｂの内部構成は、それぞれ図１に示した構成とほぼ同一であり、本実施の形態では、各ブロックの内部構成及び内部動作に閲し実施の形態１の場合と共通する点については説明を省略する。
【００６２】
図１０ではブロックＡの内部構成には符号末尾にＡを付し、ブロックＢの内部構成には符号末尾にＢを付している。ブロックＡとブロックＢは、ほぼ同様の構成であるが、ブロックＢは、タイマー部を備えることなく構成され、ブロックＡのタイマー部２Ａを共用している。すなわち、履歴情報書込部５Ｂは、タイマー部2Aの出力する時刻を履歴情報記憶部４Ｂに書き込んでいる。このため、タイマー部の誤差等の影響を受けて、履歴情報記憶部４Ａ内の捕捉時刻と履歴情報記憶部４Ｂ内の捕捉時刻の間に時間軸上のズレが生じることはない。その他の構成部分に関しても必要に応じてブロックＡ、Ｂで共用することができる。
【００６３】
この移動体通信装置ＭＳは、通信システムＡ、Ｂのいずれか一方が提供する通信回線を用いて通信を行う。すなわち、一方の通信システムの提供する通信回線のみが捕捉可能な場合には、そのシステムの通信回線を使用する。また、システムＡ、Ｂの通信回線がともに捕捉可能な場合には、より回線状態の良好な通信回線、より経済的な通信回線、或いはユーザの指定するシステムが提供している通信回線を使用する。従って、一方のシステムの通信回線を捕捉している場合に他方のシステムの通信回線を捕捉するシステム切替が行われる場合としては、捕捉中の通信回線の回線状態が悪化した場合や、他方のシステ ムにより高い優先度がユーザにより設定されており、かつ、他方のシステムの通信回線の回線状態が良好になった場合や、ユーザがシステム切替を指示した場合等が考えられる。
【００６４】
システムＡからシステムＢヘシステム切替を行う場合、ブロックＡの回線情報検索部６０Ａは、検索により得られた前回捕捉時刻をブロックＢへ出力する。すなわち、回線情報検索部６０ＡがシステムＡの履歴情報記憶部４Ａを検索した結果を出力し、捕捉時刻検索部６１Ｂが、この検索結果をキーとしてシステムＢの履歴情報記憶部４Ｂを検索する。一方、システムＢからシステムＡヘシステム切替を行う場合、ブロックＢの回線情報検索部６０Ｂが、検索により得られた前回捕捉時刻をブロックＡへ出力する。
【００６５】
ここでは、システムＡからシステムＢへ切り替える場合を例にとって説明する。システムの切替は、システム切替のイベント発生により開始される。このイベントが、回線サーチの結果、システムＡのいずれの通信回線も捕捉できない場合に発生したものであれば、回線情報検索部６０Ａは既に前回捕捉時刻の検索を終了しているため、その検索結果、すなわち、前回捕捉時刻又は「該当データなし」の情報を出力する。一方、前記イベントがユーザの指示に基づくものである場合には、図５のステップS100により、回線情報検索部６０Ａが、前回捕捉時刻の検索を行う。そして、発見された捕捉時刻又は「該当データなし」の情報を出力する。
【００６６】
ブロックＢは、ブロックＡの出力に基づき、図５のステップS101〜S110に従って動作する。すなわち、システムＡが前回捕捉時刻を出力した場合には（S101）、捕捉時刻検索部６１Ｂが、この前回捕捉時刻をキーとして、履歴情報記憶部４Ｂのデータ検索を行う（S1O2）。一方、システムＡが「該当データなし」の情報を出力した場合には（S101）、回線リスト７Ｂに基づき順次に通信回線を選択し、回線チェックを行う。本実施の形態による移動体通信装置は、２以上の通信システムに対応し、過去の回線切替の履歴情報に基づく順序で回線チェックを行う。すなわち、各通信システムごとに通信回線の捕捉履歴を記憶しておき、システム切替時には、まず同一システムにおいて前回捕捉時刻を求め、次に他方のシステムにおいてこの前回捕捉時刻の前後で捕捉されていた通信回線を検索し、優先的に回線チェックを行う。従って、回線サーチの時間を大幅に短縮することができる。
【００６７】
実施の形態５．
本実施の形態４では、システムＡからシステムＢへ切り替える場合に実施の形態１に従って求められた前回捕捉時刻考ブロックＡが出力する例について説明したが、本実施の形態では、実施の形態２に従って求められた基準捕捉時刻をブロックＡが出力する場合について説明する。図１1は、本発明による移動体通信装置ＭＳの−構成例を示したブロック図である。この移動体通信装置は、ブロックＡの捕捉時刻検索部６１AがフロックBの履歴情報記憶部４Ｂを検索して基準捕捉時刻を求め、ブロックＢの捕捉時刻検索部６１ＢがブロックＡの履歴情報記憶部４Ａを検索して基準捕捉時刻を求める点で図１０に示した移動体通信装置と異なる。従って、本実施の形態では、移動体通信装置の構成及び動作に閲し実施の形態４の場合と共通する点については説明を省略する。
【００６８】
ここでは、システムＡからシステムＢヘシステム切替を行う場合を例にとって説明する。図７のステップS200により、ブロックＡの回線情報検索部６０Ａが、捕捉中の通信回線の回線情報をキーとして履歴情報記憶部４Ａを検索し、第１の捕捉時刻を求める。次に、図７のステップS201〜S204により、捕捉時刻検索部６１Aが第１の捕捉時刻をキーとしてブロックＢの履歴情報記憶部４Ｂを検索して第２の捕捉時刻を求め、各組合せごとに第１、第２の捕捉時刻の差分を求めて基準捕捉時刻を求める。捕捉時刻検索部６１Aはこの基準捕捉時刻をブロックＢに対し出力する。ただし、ステップS200において回線情報検索部６０Ａが、前回捕捉時刻を発見できなかった場合にはブロックＢに対し「該当データなし」が出力される。
【００６９】
ブロックＢは、ブロックＡの出力に基づき、図７のステップS205〜S213に従って動作する。すなわち、システムＡが基準捕捉時刻を出力した場合には、捕捉時刻検索部６１Ｂが、この前回捕捉時刻をキーとして、履歴情報記憶部４Ｂのデータ検索を行う（205）。一方、システムＡが「該当データなし」の情報を出力した場合には、回線リスト７Ｂに基づき順次に通信回線を選択し、回線チェックを行う（S201〜S212）。本実施の形態による移動体通信装置は、2以上の通信システムに対応し、過去の回線切替の履歴情報に基づく順序で回線チェックを行う。すなわち、各通信システムごとに通信回線の捕捉履歴を記憶しておき、システム切替時には、両システムの捕捉履歴に基づいて基準捕捉時刻を求め、次に他方のシステムにおいてこの基準捕捉時刻の前後で捕捉されていた通信回線を検索し、優先的に回線チェックを行う。従って、回線サーチの時間を大幅に短縮することができる。
【００７０】
以上の説明により理解される通り、本実施の形態では、前々回又はそれ以前に同一通信回線を捕捉した履歴情報に基づいて通信回線 を検索して回線サーチを行うことができる。このため、前回捕捉時 刻により通信回線が検索できない場合であっても、回線サーチに要する時間を短縮することができる。以上の説明により理解される通り、本実施の形態では、前回捕捉時刻の前後でシステム切替が行われていない場合には、システム切替の行われた前々回又はそれ以前の同一通信回線の捕捉時刻に基づいて、他方のシステムで履歴情報を検索し回線サーチを行うことができる。このため、前回捕捉時刻により通信回線が検索できない場合であっても、回線サーチに要する時間を短縮することができる。
【図面の簡単な説明】
【００７１】
【図１】  図１は、本発明による移動体通信装置の一橋成例を示したブロッ ク図である（実施の形態１）。
【図２】  図２は、図１に示した回線リスト７を構成するデータの一例を示した図である。
【図３】  図３は、図１に示した識別情報記憶部4を構成するデータの一例を示した図である。
【図４】  図４は、図１に示した履歴情報記憶部４に記憶きれた履歴情報の他の例を示した図であり、履歴情報検索部6の動作の一例を具体的に説明するための図である。
【図５】  図５のS100〜S110は、図１に示した移動体通信装置の動作の一例を示したフローチャートであり、回線切替時の動作を示した図である。
【図６】  図６は、図１に示した移動体通信装置ＭＳを含むシステム構成例を示した概略図である。
【図７】  図７のS200〜S213は、本発明による移動体通信装置の動作の他の例を示したフローチャートであり、回線切替時の動作を示した図である。この図は、図５に示した実施の形態１におけるフローチャートと比べ、ステップS200〜S205が異なる（実施の形態２）。
【図８】  図８は、本発明による移動体通信装置の他の構成例を示したブロック図である。この移動体通信装置は、図１の移動体通信装置が隣接セル情報抽出部９及び隣接セル参照部６２を更に備えて構成される（実施の形態３）。
【図９】  図９のS300〜S317は、図８に示した移動体通信装置の動作の一例を示したフローチャートであり、回線切替時の動作を示した図である。
【図１０】  図１０は、本発明による移動体通信装置ＭＳの一構成例を示したブロック図である。この移動体通信装置は、異なる2つの通信システムＡ及びBに対応する通信装置であり、通信システムＡに対応するブロックＡと、通信システムＢに対応するブロックＢを備えて構成される（実施の形態４）。
【図１1】  図１1は、本発明による移動体通信装置ＭＳの一構成例を示したブロック図である。この移動体通信装置は、ブロックＡの捕捉時刻検索部６１AがフロックBの履歴情報記憶部４Ｂを検索して基準捕 捉時刻を求め、ブロックＢの捕捉時刻検索部６１ＢがブロックＡの履歴情報記憶部４Ａを検索して基準捕捉時刻を求める点で図１０に示した移動体通信装置と異なる（実施の形態５）。
【図１】
0003842046.tif 000002
【図２】
0003842046.tif 000003
【図３】
0003842046.tif 000004
【図４】
0003842046.tif 000005
【図５】
0003842046.tif 000006
【図６】
0003842046.tif 000007
【図７】
0003842046.tif 000008
【図８】
0003842046.tif 000009
【図９】
0003842046.tif 000010
【図１０】
0003842046.tif 000011
【図１１】
0003842046.tif 000012